(57)【特許請求の範囲】
【請求項１】
食品を収納する内袋と、
前記内袋を包む外包装と、
を備え、
前記内袋は、前記食品の情報を表示する表示部が形成され、
前記外包装は、帯状に形成される１枚のシートを、長尺方向の２つの折り目が両短辺を結ぶように山折りし、さらに短尺方向の２つの折り目が前記長尺方向の折り目同士を接続するように山折りすることで環状に形成され、前記内袋の外周を巻回して連結される両端部に設けられる切り込み部により前記表示部を視認するための外視部が形成されることを特徴とする食品袋。
【請求項２】
前記短尺方向の２つの折り目は、パッケージデザインを挟むように配置されることを特徴とする請求項１に記載の食品袋。
【請求項３】
前記両端部は、重ね合わせて連結されることを特徴とする請求項１又は請求項２に記載の食品袋。
【請求項４】
食品の製造者が、前記食品を収納し、前記食品の情報を表示する表示部を有する複数の内袋を作成する工程と、
前記製造者から複数の前記内袋のうちの一部の前記内袋を納入した販売者が、帯状に形成される１枚のシートを、長尺方向の２つの折り目が両短辺を結ぶように山折りし、さらに短尺方向の２つの折り目が前記長尺方向の折り目同士を接続するように山折りすることで環状に形成されるものであって、前記内袋の外周を巻回したときに連結される両端部に設けられる切り込み部により前記表示部を視認するための外視部が形成され、前記外視部以外の部分に印刷を施した外包装を作成し、前記内袋を前記外包装で包む工程と、
を備えることを特徴とする食品袋の製造方法。
【請求項５】
前記短尺方向の２つの折り目は、パッケージデザインを挟むように配置されることを特徴とする請求項４に記載の食品袋の製造方法。
【請求項６】
前記内袋を前記外包装で包む工程は、前記両端部を重ね合わせて連結することで前記切り込み部により前記外視部を形成し、前記表示部の大きさに合わせて前記両端部が重ね合わされる領域を調整することを含む、請求項４又は請求項５に記載の食品袋の製造方法。
【発明の詳細な説明】
【技術分野】
【０００１】
本発明は、食品袋及び食品袋の製造方法に関する。
【背景技術】
【０００２】
従来から、菓子等の食品が封入される内袋と、該内袋を覆う外包装を備える食品袋が提供されている。特許文献１に開示される食品袋としての菓子袋は、プレスにて打ち抜いた一枚の厚手のコート紙を所定の折り曲げ部に倣って折り曲げることによって袋状の外包装を成形し、その中に菓子の入った内袋を入れるものである。特許文献１に開示される菓子袋は、該外包装に所望のロゴが記載されたシールを適宜張り付けることで、菓子袋の外観に新鮮さを加え、また、製造メーカのロゴ・ブランドを有効にＰＲすることができる。
【先行技術文献】
【特許文献】
【０００３】
【特許文献１】実用新案登録第３１５０７９８号公報
【発明の開示】
【発明が解決しようとする課題】
【０００４】
近年、製造及び販売に係る形態は、多様化しており、小規模販売事業者が独自デザインの外包装を製作して菓子等の食品を販売したいという要望がある。この場合、食品の情報（原材料名や消費期限等）を外包装に記載する必要があるが、そうすると、菓子の種類毎に外包装を作成したり、内袋に既に記載される食品の情報を重複して外包装に記載したりする等の非効率な作業が発生する場合があった。
【０００５】
本発明は、以上の点に鑑み、菓子等の食品の多様な製造・販売の形態に効率よく適応する食品袋及び食品袋の製造方法を提供することを目的とする。
【課題を解決するための手段】
【０００６】
前記の課題を解決するために、本発明に係る食品袋は、食品を収納する内袋と、前記内袋を包む外包装と、を備え、前記内袋は、前記食品の情報を表示する表示部が形成され、前記外包装は、帯状に形成される１枚のシートを、長尺方向の２つの折り目が短尺方向両端からそれぞれ両短辺を結ぶように山折りし、さらに短尺方向の２つの折り目が前記長尺方向の折り目同士を接続するように山折りすることで環状に形成され、前記内袋の外周を巻回して連結される両端部に設けられる切り込み部により前記表示部を視認するための外視部が形成されることを特徴とする。
【発明の効果】
【０００７】
本発明によれば、菓子等の食品の多様な製造・販売の形態に効率よく適応する食品袋を提供することができる。
【図面の簡単な説明】
【０００８】
【図１】本発明の実施形態に係る菓子袋を表側から見た斜視図である。
【図２】本発明の実施形態に係る菓子袋を裏側から見た斜視図である。
【図３】本発明の実施形態に係る菓子袋の内袋を示し、（ａ）は、内袋を表側から見た斜視図であり、（ｂ）は、内袋を裏側から見た斜視図である。
【図４】本発明の実施形態に係る菓子袋の外包装の展開図である。
【図５】本発明の実施形態に係る菓子袋の外包装を示し、（ａ）は、内袋を覆ったときの外側面の図であり、（ｂ）は、内袋を覆ったときの内側面の図である。
【発明を実施するための形態】
【０００９】
次に、本発明の実施形態を説明する。図１は、菓子袋１０を表側１０ａから見た斜視図である。本実施形態では、食品袋として菓子袋１０を採用し、例示している。菓子袋１０は、正面視すると略長方形である。なお、菓子袋１０は、正面視略長方形に限らず、略正方形であってもよい。菓子袋１０は、側面視すると厚みを有する。菓子袋１０は、内袋２０と外包装３０から構成される。内袋２０は、内部に菓子が封入されている袋である。外包装３０は、内袋２０を包むための包装であって、パッケージデザインが印刷される。
【００１０】
そして、外包装３０は、図５に示すように帯状に形成されて、内袋２０の長尺方向の外周を巻回するように、環状に形成される。また、図２に示すように、外包装３０は、その両端が重なり合う部分（連結部３２）ができるように巻き付けられ、セロハンテープ５０により該両端が連結される。なお、連結部３２における連結方法は、粘着テープによるテープ留めの他、糊付け、クリップ留め、ひも留め及び輪ゴム留め等によるものでもよいし、外包装３０の両端のうち一方端にスリットを入れ、他方端の一部を差し込むものであってもよい。外包装３０は、外周を内袋２０の短尺方向の外周を巻回するように、環状に形成してもよい。
【００１１】
加えて、菓子袋１０は、内袋２０にチョコレート、ビスケット、飴、スナック菓子及び米菓等の菓子を封入する形態に限られず、内袋２０にお茶、コーヒー、サラミ、裂きイカ及び乾パン等の食品を封入した食品袋とすることができる。
【００１２】
図２は、菓子袋１０を裏側１０ｂから見た斜視図である。菓子袋１０は、外包装３０に形成された開口部とされる外視部３１より、表示部４０を視認することができる。
【００１３】
図３（ａ）は、菓子袋１０の内袋２０を示し、内袋２０の表側２０ａから見た斜視図である。内袋２０は、正面視すると、２つの長辺と２つの短辺から構成される略長方形である。内袋２０は、２つの短辺をそれぞれ密閉する密閉部２５を有する。また、図３（ｂ）に示すように、内袋２０の裏側２０ｂには、封入される菓子等の食品の情報を表示する表示部４０が形成される。なお、表示部４０は、内袋２０の外表面上の任意の位置に形成することができる。
【００１４】
本実施形態において表示部４０は、内袋２０に貼着するシール（表示ラベル）であるが、内袋２０に印刷されるものでもよい。また、表示部４０は、１箇所に形成することに限定されず、複数の箇所に形成してもよい。さらに、表示部４０は、シール及び印刷の２つの形態を併用することで複数の食品の情報を表示してもよい。表示部４０が表示する情報としては、製造者名、名称、原材料、内容量、原産地、賞味期限、消費期限、保存方法、添加物及びアレルギー物質の有無等の食品表示法に規定されている項目に加え、栄養成分表示及び消費上の注意事項が挙げられる。表示部４０は、これらの項目から必要なものを適時選定し、表示することができる。
【００１５】
内袋２０は、裏側２０ｂに内袋２０の２つの短辺の密閉部２５を略中央で結ぶように密閉部２６が形成され、密閉部２６の長尺方向下部に表示部４０が貼着されている。内袋２０は、前述の２つの密閉部２５に加え密閉部２６を形成することにより、密閉された袋となる。なお、密閉部２５及び密閉部２６は、溶着によって形成することができる。そして、内袋２０は、単層である又は積層化したアルミニウム箔、紙及びビニール等によって作成される。内袋２０の外表面には封入される菓子をアピールするパッケージデザイン等は印刷等されていない。
【００１６】
外包装３０は、図４に示すように、略長方形のシートである一枚の紙面から作成され、表側３０ａには文字及びイラスト等のパッケージデザインが印刷される。外包装３０の裏側３０ｂは、図示しないが、無地である。一枚のシートからなる外包装３０は、紙であることに限定されず、樹脂材料からなるフィルムとしてもよい。なお、外包装３０は、図４に示された側の反対側（裏側３０ｂ）にも文字及びイラスト等を印刷してもよい。
【００１７】
外視部３１は、外包装３０の短辺の略中央にそれぞれ設けられる切込み部３１ａ及び切込み部３１ｂにより形成される。切込み部３１ａ及び切込み部３１ｂは、それぞれ略正方形に形成される。
【００１８】
外包装３０には、２箇所の短辺にそれぞれ連結部３２が形成される。連結部３２は、外包装３０の短辺から切込み部３１ａ及び切込み部３１ｂにより短辺方向が分断された短辺から内側の所定の領域とされる。連結部３２は、内袋２０に外包装３０を環状に巻き付けた際に、外包装３０の両端部を連結する領域である。外包装３０の両端部の連結は、本実施形態のように外包装３０の両端部が重なり合うように連結してもよいし、外包装３０の両端部の先端同士を突き当てて接合するように連結してもよい。
【００１９】
外包装３０は、短尺方向両端から内側にそれぞれ短辺長さの１／４程度の位置から、外包装３０の両短辺を結ぶように、長尺方向に延在する折り目３３及び折り目３４が点線として印刷されて形成される。さらに、折り目３３と折り目３４とを接続するように外包装３０の短尺方向に延在する折り目３５が２箇所点線として印刷されている。折り目３５は、パッケージデザインを挟むように配置される。そして、折り目３３と折り目３４との間の距離は、内袋２０の短辺長さに対応し、２つの折り目３５の間の距離は、内袋２０の長辺長さに対応している。
【００２０】
展開された外包装３０は、折り目３３及び折り目３４に沿って山折することで、図５（ａ）及び図５（ｂ）に示すような略長方形に成形することができる。さらに、折り目３３及び折り目３４に沿って山折りした外包装３０は、折り目３５に沿って山折りし、２つの連結部３２同士を連結することで、図１及び図２に示すように、外包装３０を環状に成形できる。
【００２１】
そして、外包装３０は、各連結部３２同士をつなぎ合わせることによって、略長方形の外視部３１が形成される（図２参照）。なお、外視部３１は、切込み部３１ａ及び切込み部３１ｂを外包装３０の長尺方向に長めに設け（略長方形に設け）、連結部３２が重ね合わされる領域を調節可能とすることで、多様な大きさの表示部４０に対応できる形態としてもよい。
【００２２】
外視部３１の大きさ、形状、数及び位置は、表示部４０の大きさ、形状、数及び位置に合わせて決定される。本実施形態においては、内袋２０の略中央下部に略長方形の表示部４０が形成されているため（図３（ｂ）参照）、内袋２０の略中央下部に略長方形の外視部３１が位置するように外包装３０は内袋２０に巻き付けられる（図２参照）。このようにして、表示部４０は、外視部３１を介して視認することができる。また、複数の表示部４０を視認できる大きさの外視部３１を１つ設けてもよい。さらに、切込み部３１ａ及び切込み部３１ｂの形状は、本実施形態に限定されることなく、略半円形とすることができる。この場合、外視部３１の形状は円形となる。
【００２３】
なお、外視部３１を透明の保護フィルムで覆う形態でもよい。外視部３１を透明の保護フィルムで覆うことにより、表示部４０の剥がれ及び印刷の薄れを削減できる。
【００２４】
折り目３３乃至折り目３５が外包装３０上に印刷される位置は、内袋２０の形状に応じて、任意に変更することができる。折り目３３乃至折り目３５の位置を変更することにより、展開後の外包装３０の形状が図４に示すように略長方形ではなく、例えば、略正方形であっても、図５（ａ）及び図５（ｂ）に示すような略長方形に成形できる。さらに、同じ大きさの一枚の紙から成形された外包装３０であっても、内袋２０に巻き付ける際の形状は異なったものに成形することもできる。
【００２５】
また、外包装３０は、図５（ｂ）に示すように、環状に形成された外包装３０の内周面となる領域に、内袋２０に封入される菓子に関連した文字やイラストを印刷してもよい。これにより、連結部３２で連結される両端部を外した際に、消費者へ商品を一層アピールできる。
【００２６】
次に、菓子袋１０の利用方法及び使用方法の一例について説明する。菓子袋１０の利用方法としては、菓子の製造者は、内袋２０に封入された菓子についての情報が記載された表示部４０を内袋２０に付して菓子入りの内袋２０を製造する。菓子の製造者は、表示部４０が付された内袋２０を販売者へ納入する。販売者は、仕入れた表示部４０が付された内袋２０を販売するため、商品の購買意欲を高めるイラストや図柄を印刷した外包装３０を作成する。そして、販売者は、外包装３０で表示部４０が付された箇所を除き、内袋２０を覆うことで消費者へ販売することができる。
【００２７】
これにより、製造者と販売者が異なるＯＥＭ（Ｏｒｉｇｉｎａｌ  Ｅｑｕｉｐｍｅｎｔ  Ｍａｎｕｆａｃｔｕｒｉｎｇ）、ＯＤＭ（Ｏｒｉｇｉｎａｌ  Ｄｅｓｉｇｎ  Ｍａｎｕｆａｃｔｕｒｉｎｇ）、ＰＢ（Ｐｒｉｖａｔｅ  Ｂｒａｎｄ）等の業態において、同一の菓子入り内袋２０であっても、異なる販売者が独自のブランドで容易に効率よく販売することができる。すなわち、菓子の製造者は、表示部４０のみが付された内袋２０を製造して異なる複数の販売者に納品すればよく、パッケージデザインを考慮する必要がないため、製造ロット（菓子等の製品を製造する際の最小生産数）の問題で出荷できずに在庫となることがあった菓子を小ロット（少数の発注量）であっても販売できる。このようにして、菓子の製造者は、大量に製造した製品を低価格で複数の販売者に分けて販売することができるため、在庫数及び廃棄数の抑制が可能となる。
【００２８】
一方で、販売者は、菓子の製造者から小ロットで買い取った表示部４０が付された内袋２０の数量内で、自らマーケティングし、自らデザインした外包装３０で内袋２０を覆ったオリジナル商品を販売することができる。さらに、販売者は、１つの内袋２０に対して、複数の種類の外包装３０を作成し、販売することで、売れ行きの悪い外包装３０については、内袋２０の中身である菓子の消費期限内であれば、売れ行きの悪い外包装３０を別の種類の外包装３０に変更するマーケティングができる。近年、印刷方式の多様化により、低価格、小ロットでの印刷が可能となっている。したがって、本発明により、小規模の販売者であっても、独自の外包装３０を備えた食品入りの食品袋（菓子入りの菓子袋１０）を販売することができる。
【００２９】
本発明は、前述の実施形態に限定されない。まず、内袋２０のような袋に外包装３０を巻き付ける形態に限定されない。例えば、内袋２０は、ペットボトルとし、ペットボトルに表示部４０を付して、外視部３１を有する外包装３０を取り付けてもよい。
【００３０】
次に、外視部３１として、外包装３０に形成される開口部の位置は、図５（ａ）及び図５（ｂ）に示されている範囲内（外包装３０を折り目３３及び折り目３４に沿って山折りし、帯状となった外包装３０の内部に位置する範囲）であれば、どこでもよい。
【００３１】
そして、外視部３１は外包装３０を取り付けた際に、表示部４０を視認できるものであればよいため、外包装３０を透明のフィルムで作成し、パッケージデザインの印刷において表示部４０に対応する位置には何も印刷しないようにすることで、前述の実施形態同様の効果を得ることができる。
【産業上の利用可能性】
【００３２】
本発明は、菓子等の食品の多様な製造・販売の形態に効率よく適応する食品袋を提供することができ、産業上の利用可能性は高いものである。
【符号の説明】
【００３３】
１０      菓子袋                      １０ａ    表側
１０ｂ    裏側                        ２０      内袋
２０ａ    表側                        ２０ｂ    裏側
２５      密閉部                      ２６      密閉部
３０      外包装                      ３０ａ    表側
３０ｂ    裏側
３１      外視部                      ３１ａ    切込み
３１ｂ    切込み
３２      連結部                      ３３      折り目
３４      折り目                      ３５      折り目
４０      表示部                      ５０      セロハンテープ
【図１】
0006892094.tif 000002
【図２】
0006892094.tif 000003
【図３】
0006892094.tif 000004
【図４】
0006892094.tif 000005
【図５】
0006892094.tif 000006